(57)【要約】【課題】中空部に芯材が配置された下框に水抜き孔を容易に形成できる建具を提供すること。【解決手段】枠体１０及び枠体１０に開閉可能に取り付けられる障子２０を備える建具１であって、障子２０の外縁を構成し、上框３１、下框３２及び左右の縦框３３，３４を有する樹脂製の框体３０と、下框３２の内側に形成される中空部３２ｂに配置される下框芯材３２０と、を備え、下框３２の上面には、上下方向に貫通する水抜き孔３２４ａが形成され、下框芯材３２０は、水抜き孔３２４ａの下方に形成され下框芯材３２０の上面３２０ａから下方側に窪む窪み部３２１ａを有する。【選択図】図５
2019085830.tif 000002
【特許請求の範囲】
【請求項１】
枠体及び前記枠体に開閉可能に取り付けられる障子を備える建具であって、
前記障子の外縁を構成し、上框、下框及び左右の縦框を有する樹脂製の框体と、
前記下框の内側に形成される中空部に配置される下框芯材と、を備え、
前記下框の上面には、上下方向に貫通する水抜き孔が形成され、
前記下框芯材は、前記水抜き孔の下方に形成され前記下框芯材の上面から下方側に窪む窪み部を有する建具。
【請求項２】
前記窪み部は、前記下框芯材の角を断面Ｌ字状に窪ませて形成される請求項１に記載の建具。
【請求項３】
前記下框の前記中空部は、上面、下面、室内側面及び室外側面に囲まれて形成され、
前記水抜き孔は、前記中空部を形成する前記上面における室外側端部に形成される請求項１又は２に記載の建具。
【請求項４】
前記下框の前記中空部は、上面、下面、室内側面及び室外側面に囲まれて形成され、
前記窪み部は、前記中空部を形成する前記室外側面と対向する縦面と、前記前記中空部を形成する前記上面と対向する水受け面と、から形成され、
前記水受け面は、前記下框の内部に浸入した水を前記下框の長手方向に流通させる樋構造として機能する請求項１〜３のいずれかに記載の建具。
【発明の詳細な説明】
【技術分野】
【０００１】
本発明は、枠体及び枠体に開閉可能に取り付けられる障子を備える建具に関する。
【背景技術】
【０００２】
従来、枠体及び枠体に開閉可能に取り付けられる障子を備える建具が知られている（例えば、特許文献１参照）。断熱性能を向上させるために樹脂製の障子を備える建具において、火災発生時に、障子を構成する樹脂製の部材が溶けて変形等した場合に備え、障子の框体の下框の内側に、中空部が形成され、中空部に、金属製の芯材が配置されているものがある。下框の中空部に芯材が配置される構成において、下框に水抜き孔を設ける場合に、下框の内側に形成される中空部に芯材を配置した状態で、例えば、ドリルを用いて、下框の上面に水抜き孔を加工することが行われている。
【先行技術文献】
【特許文献】
【０００３】
【特許文献１】特開２０１０−２４８８３６号公報
【発明の概要】
【発明が解決しようとする課題】
【０００４】
下框の内側に形成される中空部に芯材を配置した状態で、下框の上面にドリルで水抜き孔を加工する場合には、ドリルの先端が下框の内側に形成される中空部に配置された芯材に当たってしまい、水抜き孔を加工することが難しかった。
従って、中空部に芯材が配置された下框に、水抜き孔を容易に形成できることが望まれる。
【０００５】
本発明は、中空部に芯材が配置された下框に水抜き孔を容易に形成できる建具を提供することを目的とする。
【課題を解決するための手段】
【０００６】
本発明は、枠体（例えば、後述の枠体１０）及び前記枠体に開閉可能に取り付けられる障子（例えば、後述の障子２０）を備える建具（例えば、後述の建具１）であって、前記障子の外縁を構成し、上框（例えば、後述の上框３１）、下框（例えば、後述の下框３２）及び左右の縦框（例えば、後述の吊元側縦框３３、戸先側縦框３４）を有する樹脂製の框体（例えば、後述の框体３０）と、前記下框の内側に形成される中空部（例えば、後述の中空部３２ｂ）に配置される下框芯材（例えば、後述の下框芯材３２０）と、を備え、前記下框の上面には、上下方向に貫通する水抜き孔（例えば、後述の上側水抜き孔３２４ａ）が形成され、前記下框芯材は、前記水抜き孔の下方に形成され前記下框芯材の上面（例えば、後述の上面３２０ａ）から下方側に窪む窪み部（例えば、後述の上側窪み部３２１ａ）を有する建具に関する。
【０００７】
また、前記窪み部は、前記下框芯材の角を断面Ｌ字状に窪ませて形成されることが好ましい。
【０００８】
また、前記下框の前記中空部は、上面（例えば、後述の中空部上面板３２５ａ）、下面（例えば、後述の中空部底面板３２５ｂ）、室内側面（例えば、後述の中空部室外側壁３２５ｃ）及び室外側面（例えば、後述の中空部室内側壁３２５ｄ）に囲まれて形成され、前記水抜き孔は、前記中空部を形成する前記上面における室外側端部（例えば、後述の室外側角部３２６）に形成されることが好ましい。
【０００９】
また、前記下框の前記中空部は、上面、下面、室内側面及び室外側面に囲まれて形成され、前記窪み部は、前記中空部を形成する前記室外側面と対向する縦面（例えば、後述の窪み壁部３２２ｂ）と、前記前記中空部を形成する前記上面と対向する水受け面（例えば、後述の窪み部底面板３２２ａ）と、から形成され、前記水受け面は、前記下框の内部に浸入した水を前記下框の長手方向に流通させる樋構造として機能することが好ましい。
【発明の効果】
【００１０】
本発明によれば、中空部に芯材が配置された下框に水抜き孔を容易に形成できる建具を提供することができる。
【図面の簡単な説明】
【００１１】
【図１】本発明の一実施形態に係る建具を室外側から見た様子を示す図である。
【図２】本実施形態の建具の縦断面図である。
【図３】本実施形態の建具の横断面図である。
【図４】本実施形態の建具が備える下框及び下框の中空部に配置される下框芯材を示す斜視図である。
【図５】本実施形態の建具が備える下框及び下框の中空部に配置される上側下框芯材を示す斜視図である。
【図６】本実施形態の建具が備える下框に形成される上側水抜き孔を示す拡大斜視図である。
【図７】本実施形態の建具が備える下框の下面を示す平面図である。
【発明を実施するための形態】
【００１２】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（即ち、奥行き方向）を意味する。
【００１３】
図１は、本発明の一実施形態に係る建具１を室外側から見た様子を示す図である。図１に示す建具１は、建物開口部に固定される枠体１０と、枠体１０に複数のヒンジ１５を介して開閉可能に取り付けられる外開きの障子２０と、を備える防火仕様の勝手口ドアである。
【００１４】
まず、枠体１０の構成について説明する。枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１５】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００１６】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００１７】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００１８】
図３は、本実施形態の建具１の横断面図である。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００１９】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００２０】
また、枠体１０の吊元側縦枠１３と障子２０の吊元側縦框３３の間には、上下方向に間隔をあけて複数のヒンジ１５が配置される（図１参照）。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２１】
戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２２】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２３】
枠体１０の左上及び右上には、枠側コーナー金具４６がそれぞれ配置される。枠側コーナー金具４６は、Ｌ字状の金属部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２４】
次に、障子２０の構成について説明する。障子２０は、ガラス２５と、ガラス２５を囲うように構成される框体３０と、を含むように構成される戸体である。
【００２５】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ−Ｅ（Ｌｏｗ  Ｅｍｉｓｓｉｖｉｔｙ）ガラスで構成される。
【００２６】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２７】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００２８】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００２９】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。延出部３１ｆの内側に形成される中空部３１ｉには金属（例えば、スチール）製の室外側芯材３１２が配置される。
【００３０】
本実施形態の室外側芯材３１２は、断面形状が略Ｕ字状の長尺部材であり、Ｕ字の開口側が室外側を向くように中空部３１ｉに配置される。また、室外側芯材３１２の室内側の面と中空部３１ｉの内壁の間には帯状の加熱発泡材９０ｆが配置される。
【００３１】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３２】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３３】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３４】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３５】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００３６】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００３７】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００３８】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００３９】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００４０】
框体３０の内側（ガラス２５側）の見込面にはガラス外れ止め部材４０及び加熱発泡材９１が配置される。ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００４１】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９１は、帯状の部材であり、ガラス２５の４周を囲うように上框３１、下框３２、吊元側縦框３３及び戸先側縦框３４のそれぞれに配置される。
【００４２】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４３】
また、枠体１０に開閉可能に吊り込まれる障子２０は、上枠１１と上框３１を接続するアーム部材６１によって所定以上開かないように開閉範囲が規制される。
【００４４】
次に、障子２０の框体３０の下框３２及び下框３２の中空部３２ｂに配置される下框芯材３２０の構成について説明する。図４は、本実施形態の建具１が備える下框３２及び下框３２の中空部３２ｂに配置される下框芯材３２０を示す斜視図である。図５は、本実施形態の建具１が備える下框３２及び下框３２の中空部３２ｂに配置される下框芯材３２０を示す断面図である。図６は、本実施形態の建具１が備える下框３２に形成される上側水抜き孔３２４ａを示す拡大斜視図である。図７は、本実施形態の建具１が備える下框３２の下面を示す平面図である。
【００４５】
框体３０は、図１に示すように、障子２０の外縁を構成し、上框３１、下框３２、吊元側縦框３３及び戸先側縦框３４を有する。図４に示すように、下框３２は、左右方向に延びる。下框３２は、端面が長手方向に対して傾斜して形成される。下框３２は、前述の通り、複数の中空部３２ａ，３２ｂ，３２ｃを有する。複数の中空部３２ａ，３２ｂ，３２ｃのうち、見込方向中央に位置する中空部３２ｂには、金属製の下框芯材３２０が配置される。
【００４６】
複数の中空部３２ａ，３２ｂ，３２ｃのうち、見込方向中央に位置する中空部３２ｂは、左右方向に延びて形成され、下框３２における断面視で方形状の筒状の部分に囲まれる部分である。中空部３２ｂは、図５に示すように、中空部上面板３２５ａ（上面）と、中空部底面板３２５ｂ（下面）と、中空部室外側壁３２５ｃ（室外側面）と、中空部室内側壁３２５ｄ（室内側面）と、に囲まれて形成される。中空部３２ｂの室外側の上部には、室外側角部３２６（室外側端部）が形成される。
【００４７】
室外側角部３２６は、中空部３２ｂを形成する中空部上面板３２５ａにおける上面の室外側の端部に形成される。室外側角部３２６は、中空部上面板３２５ａの室外側端部と中空部室外側壁３２５ｃの上端部とが接続される角から形成される。中空部室外側壁３２５ｃは、上端側において、嵌合部室内側壁３２７ｃと共通であり、嵌合部室内側壁３２７ｃと共通する部分よりも下方側において、中空部３２ａの室内側の中空部室内側壁３２８ｄと共通である。
【００４８】
中空部３２ｂの室外側の上部の室外側角部３２６の室外側には、嵌合部３２ｍが設けられる。嵌合部３２ｍは、前述の通り、下框３２において、下框３２の室外側下部に形成される延出部３２ｆの上方の中空部３２ａの上端に形成される。嵌合部３２ｍは、押し縁部材３６（図２参照）用の嵌合部である。
【００４９】
嵌合部３２ｍは、溝状に形成され、上方に開放して形成され、左右方向（下框３２の長手方向）に延びる。嵌合部３２ｍを構成する部分の下框３２は、略Ｃ字形状に形成され、Ｃ字の開口側が上方を向くように配置される。
【００５０】
嵌合部３２ｍを構成する部分の下框３２は、嵌合部底面板３２７ａと、嵌合部底面板３２７ａの室外側の端部から上方に延びる嵌合部室外側壁３２７ｂと、嵌合部底面板３２７ａの室内側の端部から上方に延びる嵌合部室内側壁３２７ｃと、一対の嵌合部突起３２７ｄ，３２７ｅと、を有する。嵌合部底面板３２７ａは、嵌合部３２ｍの開口の下方の奥側に配置され、嵌合部底面板３２７ａの上面は、上方を向いて形成される。一対の嵌合部突起３２７ｄ，３２７ｅは、嵌合部３２ｍの開口の手前側において嵌合部室外側壁３２７ｂ及び嵌合部室内側壁３２７ｃの上端に形成され、開口を閉じる見込方向に互いに近づくように突出する。
【００５１】
室内側の嵌合部突起３２７ｄは、中空部３２ｂの室外側の上部の室外側角部３２６から室外側に突出する。室外側の嵌合部突起３２７ｅは、中空部３２ｂの室内側の上部の嵌合部室外側壁３２７ｂの上端から室内側に突出する。室内側の嵌合部突起３２７ｄの上面及び室外側の嵌合部突起３２７ｅの上面は、中空部３２ｂの中空部上面板３２５ａの上面と同一平面上に位置する。
【００５２】
嵌合部底面板３２７ａは、中空部３２ａの上面を構成する中空部上面板３２８ａと共通である。
嵌合部室外側壁３２７ｂは、下框３２の室外側壁３２ｐの上端側の部分を構成する。
嵌合部室内側壁３２７ｃは、中空部３２ｂの中空部室外側壁３２５ｃの上端側の部分と共通である。
【００５３】
下框３２の上面における中空部３２ｂの室外側の上部の室外側角部３２６（端部）には、図４に示すように、２つの上側水抜き孔３２４ａ（水抜き孔）が形成される。２つの上側水抜き孔３２４ａは、下框３２の上面において、長手方向に離間した位置に配置される。
【００５４】
上側水抜き孔３２４ａは、図５及び図６に示すように、下框３２の上面において、中空部３２ｂを形成する中空部上面板３２５ａにおける室外側角部３２６を上下方向に貫通する。ここで、室外側角部３２６を構成する中空部室外側壁３２５ｃの上端部は、嵌合部３２ｍの嵌合部室内側壁３２７ｃと共通である。
【００５５】
本実施形態においては、上側水抜き孔３２４ａは、中空部３２ｂの室外側の上部の室外側角部３２６に加えて、中空部３２ｂの室外側の上部の室外側角部３２６から室外側に突出する嵌合部３２ｍの室内側の嵌合部突起３２７ｄと、嵌合部３２ｍの嵌合部底面板３２７ａの室内側の端部の部分と、を貫通して形成される。
【００５６】
上側水抜き孔３２４ａは、図５に示すように、例えば、ドリルＤにより、下框３２の上面を上下方向に貫通して形成される。上側水抜き孔３２４ａは、図６に示すように、室外側角部３２６を構成する中空部上面板３２５ａの室外側の端部において、平面視で、半円形状に開口するとともに、嵌合部３２ｍの嵌合部底面板３２７ａの室内側の端部において、半円形状に開口する。上側水抜き孔３２４ａは、室外側角部３２６において中空部３２ｂと外部とを連通すると共に、嵌合部３２ｍの嵌合部底面板３２７ａの室内側の端部の部分において中空部３２ａと外部とを連通する。
【００５７】
中空部３２ｂの上面には、図４に示すように、上側水抜き孔３２４ａの他に、長手方向の中央側に形成されるガラス止め部材３７を締結するためのネジ用の複数のネジ孔３２４ｂなどの複数の孔が形成される。下框３２の下面には、図７に示すように、下框芯材３２０を固定するためのネジ用の複数のネジ孔３２４ｄや、複数の下側水抜き孔３２４ｅなどの複数の孔が形成される。
【００５８】
下框芯材３２０は、図５に示すように、複数の中空部３２ａ，３２ｂ，３２ｃのうち、見込方向中央に位置する中空部３２ｂに配置される。下框芯材３２０は、断面視方形状の部材を、室外側の上下の角をそれぞれＬ字状に窪ませて形成される。下框芯材３２０は、室外側の上端に形成される上側窪み部３２１ａ（窪み部）と、室外側の下端に形成される下側窪み部３２１ｂと、を有する。
【００５９】
上側窪み部３２１ａは、下框３２の上面に形成された上側水抜き孔３２４ａの下方に形成される。上側窪み部３２１ａは、下框芯材３２０の上面３２０ａから下方側に窪んで形成される。上側窪み部３２１ａは、下框芯材３２０の室内側の上側の角を断面Ｌ字状に窪ませて形成される。上側窪み部３２１ａは、下框３２の中空部３２ｂに下框芯材３２０を配置した状態で、下框３２の室外側角部３２６にドリルＤにより上側水抜き孔３２４ａを形成する際に、ドリルＤの先端が下框芯材３２０に達しないように、断面Ｌ字状に窪んで形成される。
【００６０】
上側窪み部３２１ａは、下框芯材３２０の上下方向の途中において室外側の端部から室内側に延びる窪み部底面板３２２ａ（水受け面）と、窪み部底面板３２２ａの室内側の端部から上方側に延びる窪み壁部３２２ｂ（縦面）と、により構成される窪み部分である。窪み壁部３２２ｂは、中空部３２ｂの内部において、中空部３２ｂを形成する中空部室外側壁３２５ｃに対向して形成され、下框芯材３２０の上面３２０ａから下方側に所定長さ延びる。窪み部底面板３２２ａは、中空部３２ｂの内部において、中空部３２ｂを形成する中空部上面板３２５ａに対向して形成され、窪み壁部３２２ｂの下端部から室外側に所定長さ延びる。
【００６１】
窪み部底面板３２２ａは、上側窪み部３２１ａの上方を向く底面を構成し、上側窪み部３２１ａの底面は、上側水抜き孔３２４ａから浸入した水を受ける水受け面を構成する。上側窪み部３２１ａの底面である窪み部底面板３２２ａの上面は、上方を向いて形成される。窪み部底面板３２２ａは、上側水抜き孔３２４ａの下方において、下框３２の内部に浸入した水を受け止めて、下框３２の内部に浸入した水を下框３２の長手方向に流通させる樋構造として機能する。
【００６２】
以上のように構成される下框３２及び下框芯材３２０は、従来、下框３２の中空部３２ｂに下框芯材３２０を配置した状態で、下框３２の上面に、ドリルＤにより加工して、上側水抜き孔３２４ａを形成することが行われていた。この場合に、本発明によれば、上側窪み部３２１ａは、下框３２の上面に形成された上側水抜き孔３２４ａの下方に形成される。これにより、下框３２の上面（室外側角部３２６）にドリルＤで上側水抜き孔３２４ａする場合に、ドリルの先端が下框芯材３２０に達しないため、下框３２の上面に上側水抜き孔３２４ａを容易に形成できる。
【００６３】
また、下框３２の上面を流れる水は、上側水抜き孔３２４ａから、下框３２の内部に浸入する。上側水抜き孔３２４ａから下框３２の内部に浸入した水は、一部が、下框芯材３２０の窪み部底面板３２２ａの上面に受け止められ、残りが、中空部３２ｂの底部において中空部底面板３２５ｂの上面に受け止められる。窪み部底面板３２２ａの上面及び中空部底面板３２５ｂの上面に受け止められた水は、下框３２の長手方向に沿って流通され、下框芯材３２０の下部の両端部側に形成される下側水抜き孔３２４ｅにより下框３２の下方の外部に落下される。これにより、下框３２の内部に水が滞留することを低減できる。
【００６４】
以上説明した上記実施形態の構成によれば、以下のような効果を奏する。
建具１は、枠体１０及び障子２０を備え、障子２０の外縁を構成し、上框３１、下框３２及び左右の縦框（吊元側縦框３３、戸先側縦框３４）を有する樹脂製の框体３０と、下框３２の内側に形成される中空部３２ｂに配置される下框芯材３２０と、を備え、下框３２の上面には、上下方向に貫通する上側水抜き孔３２４ａが形成され、下框芯材３２０は、上側水抜き孔３２４ａの下方に形成され下框芯材３２０の上面３２０ａから下方側に窪む上側窪み部３２１ａを有する。
【００６５】
そのため、下框３２の中空部３２ｂに下框芯材３２０を配置した状態で、例えば、ドリルＤで上側水抜き孔３２４ａを形成する場合に、ドリルＤの先端が下框芯材３２０を避けて上側窪み部３２１ａに配置されるため、ドリルＤは、下框芯材３２０を避けて、上側水抜き孔３２４ａを形成できる。これにより、下框３２の上面にドリルＤで上側水抜き孔３２４ａする場合に、ドリルＤの先端が下框芯材３２０に達しないため、下框芯材３２０にドリルＤによる孔を形成せずに、下框３２の上面に上側水抜き孔３２４ａを容易に形成できる。
【００６６】
また、本実施形態では、上側窪み部３２１ａは、下框芯材３２０の角を断面Ｌ字状に窪ませて形成される。これにより、下框芯材３２０の角側において、下框３２に上側水抜き孔３２４ａを容易に形成できる。
【００６７】
また、本実施形態では、上側水抜き孔３２４ａは、中空部３２ｂを形成する中空部上面板３２５ａにおける室外側の室外側角部３２６（端部）に形成される。そのため、中空部３２ｂを構成する下框３２における室外側の端部（室外側角部３２６）において、上側水抜き孔３２４ａを介して、水を中空部３２ｂに導入できるため、室内側への水の浸入を低減できる。よって、室内側への水の浸入を低減できるため、水密性を向上できる。
【００６８】
また、本実施形態では、上側窪み部３２１ａは、中空部３２ｂを形成する中空部室外側壁３２５ｃに対向して形成される窪み壁部３２２ｂと、中空部３２ｂを形成する中空部上面板３２５ａに対向して形成される窪み部底面板３２２ａ（水受け面）と、から形成され、窪み部底面板３２２ａは、下框３２の内部に浸入した水を下框３２の長手方向に流通させる樋構造として機能する。これにより、下框３２の内部に浸入した水を下框３２の内部に滞留させずに、窪み部底面板３２２ａにより、下框３２の長手方向の両端部に流通させることができる。これにより、下框３２の内部に水が滞留することを低減できる。
【００６９】
以上、本発明の好ましい実施形態について説明したが、本発明は、上述の実施形態や変形例に制限されるものではなく、適宜変更が可能である。
例えば、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【００７０】
上記実施形態では、勝手口ドアを本発明の建具の一例として説明したがこの構成に限定されるわけではなく、スイング式の開閉ドアや開閉窓等、障子を開閉する構成を備える種々の建具に本発明を適用することができる。
【００７１】
また、上記実施形態では、下框芯材３２０の窪み部３２１ａをＬ字状に窪むように形成したが、これに限定されない。例えば、Ｕ字状に窪むように形成してもよい。
【００７２】
また、上記実施形態では、上側水抜き孔３２４ａを、中空部３２ｂを構成する下框３２における室外側の室外側角部３２６（端部）に形成したが、これに限定されない。例えば、上側水抜き孔３２４ａを、室外側の端部でなくて、室内側と室外側の間の部分や、室内側の端部に形成してもよい。
【符号の説明】
【００７３】
１  建具
１０  枠体
２０  障子
３０  框体
３１  上框
３２  下框
３２ｂ  中空部
３３  吊元側縦框（縦框）
３４  戸先側縦框（縦框）
３２０  下框芯材
３２０ａ  上面
３２１ａ  上側窪み部（窪み部）
３２２ａ  窪み部底面板（水受け面）
３２２ｂ  窪み壁部（縦面）
３２４ａ  上側水抜き孔（水抜き孔）
３２５ａ  中空部上面板（上面）
３２５ｂ  中空部底面板（下面）
３２５ｃ  中空部室外側壁（室外側面）
３２５ｄ  中空部室内側壁（室内側面）
３２６  室外側角部（室外側端部）
【図１】
2019085830.tif 000003
【図２】
2019085830.tif 000004
【図３】
2019085830.tif 000005
【図４】
2019085830.tif 000006
【図５】
2019085830.tif 000007
【図６】
2019085830.tif 000008
【図７】
2019085830.tif 000009